(57)【要約】【課題】ブレードの振動を増幅でき、しかも、破損を低減することができるワイヤーベイト型疑似餌を提供する。【解決手段】スピナーベイトのワイヤー１１の屈曲部分にラインアイ１４及び折返し部２７を形成する。ラインアイ１４と折返し部２７とは逆方向に屈曲しており、両者合わせて略Ｓ字形状をなしている。ワイヤー１１のアッパーアーム２１及びロアアーム２２は、ワイヤー１１のＶ字形状を膨らます方向にそれぞれ湾曲している。このような構成により、ワイヤー１１全体のバネ特性が向上する。また、アッパーアーム２１及びロアアーム２２の見かけ上の長さよりも実際の長さが大きくなるため、ワイヤー１１全体が受ける破損に対する負荷の許容量が増大する。更に、水流でブレードが回転することにより発生する振動が、湾曲するアッパーアーム２１に分散して伝わるため、応力がラインアイ１４に集中することがない。【選択図】図１
2009100685.tif 000002
【特許請求の範囲】
【請求項１】
a)釣り糸が取り付けられるラインアイを中心に略Ｖ字状或いは略Ｌ字状に屈曲成形された金属製のワイヤーと、
b)前記ワイヤーの一端部に回転自在に取り付けられたブレードと、
c)前記ワイヤーの他端部に固定されたヘッドと、
を有するワイヤーベイトにおいて、
前記ラインアイから前記ブレードまでのワイヤー部分が湾曲していることを特徴とするワイヤーベイト型疑似餌。
【請求項２】
前記ラインアイから前記ブレードまでのワイヤー部分のうち前記ラインアイ側の端部に当該ラインアイと逆方向に屈曲する略Ｃ字状の折返し部を設けたことを特徴とする請求項１に記載のワイヤーベイト型疑似餌。
【請求項３】
前記ラインアイから前記ヘッドまでのワイヤー部分が湾曲していることを特徴とする請求項１又は２に記載のワイヤーベイト型疑似餌。
【発明の詳細な説明】
【技術分野】
【０００１】
本発明は、釣りに用いられるワイヤーベイト型疑似餌（ルアー）に関する。
【背景技術】
【０００２】
図４〜図６は、ルアーフィッシングに用いられる疑似餌(ルアー)の一種であるワイヤーベイト型疑似餌(以下「ワイヤーベイト」という)の従来構成を示している。ワイヤーベイトにはスピナーベイト(図４)、バズベイト（図５）、ジグスピナー（図６）と呼ばれる疑似餌があり、いずれも金属製ワイヤー１１と、その両端に取り付けられたブレード１２及びヘッド１３から構成されている(特許文献１、非特許文献１参照）。
【０００３】
ワイヤー１１はライン（釣り糸）が取り付けられるラインアイ１４を中心に略Ｖ字形状或いはＬ字形状に屈曲成形されている。ブレード１２は、木の葉形状若しくはハート形状の板状部材からなり、ワイヤー１１の一端部に回転自在に取り付けられている。ヘッド１３はワイヤー１１の他端部に固定されており、フック（釣り鈎）１３ａと錘１３ｂの成形部品からなる。また、スピナーベイトやバズベイトのヘッド１３には多数の紐状体からなるスカート１５が装着されている。
【０００４】
いずれのワイヤーベイトも水中に投入され、ヘッド１３の浮き沈みを調整しながら釣り糸を引くことにより対象魚を釣り上げる。水中に投入されたブレード１２は水流によって回転し、光を反射すると共に振動を発する。ブレード１２の回転により発生した振動はワイヤー１１を伝ってヘッド１３を揺さぶり、これによって対象魚を誘い食い付かせる。ブレード１２の振動が大きいほどヘッド１３は大きく揺さぶられ、ヘッド１３やスカート１５が複雑な動きを見せるため、誘魚効果が向上する。
【特許文献１】特開2004−49125号公報（[0002],図17）
【非特許文献１】常吉ネットショップホームページ[平成19年10月15日検索],インターネット<URL:http://www.tsunekichi-inc.com/brand/wire_bait/wire_bait.html>
【発明の開示】
【発明が解決しようとする課題】
【０００５】
ブレード１２の振動が大きいとその分、ワイヤー１１にかかる負荷が大きくなる。従来のワイヤーベイトには、水中に投入されたときに実際の魚のようにヘッド１３が水平姿勢で動くように、ラインアイ１４からヘッド１３までのワイヤー部分１１ａを湾曲させる場合がある。ところが、ブレード１２は水流によって回転し様々な姿勢をとることから、一般的にラインアイ１４からブレード１２までのワイヤー部分１１ｂは直線状に形成されていた。
【０００６】
図７に示すように、ブレード１２で振動が発生すると、直線状のワイヤー部分１１ｂはその基端部（つまりラインアイ１４とワイヤー部分１１ｂとの境界部）を中心に揺動する。このため、ワイヤー１１の屈曲部分に位置するラインアイ１４には応力が集中し易く、金属疲労によって折れ易くなるという問題があった。
本発明が解決しようとする課題は、ブレードの振動を増幅でき、しかも、破損を低減することができるワイヤーベイト型疑似餌を提供することである。
【課題を解決するための手段】
【０００７】
上記課題を解決するために成された本発明に係るワイヤーベイト型疑似餌は、
a)釣り糸が取り付けられるラインアイを中心に略Ｖ字状或いは略Ｌ字状に屈曲成形された金属製のワイヤーと、
b)前記ワイヤーの一端部に回転自在に取り付けられたブレードと、
c)前記ワイヤーの他端部に固定されたヘッドと、
を有するワイヤーベイトにおいて、
前記ラインアイから前記ブレードまでのワイヤー部分が湾曲していることを特徴とする。
【発明の効果】
【０００８】
本発明のワイヤーベイト型疑似餌では、ブレードで発生した振動が湾曲したワイヤーの各部に分散されて伝わり、ラインアイに応力が集中することがないため、ラインアイ部分の金属疲労を軽減することができる。また、ラインアイからブレードまでのワイヤー部分を湾曲させたことにより当該部分の各部に伝わった振動は増幅されつつラインアイ、ラインアイからヘッドまでのワイヤー部分を経てヘッドに伝わる。このため、ヘッドの動きが一層複雑なものとなり、集魚効果、誘魚効果が高まる。
【発明を実施するための最良の形態】
【０００９】
以下、本発明をスピナーベイト型疑似餌に適用した一実施例を図面を用いて説明する。尚、従来技術の説明で示した部分と同一部分には同一符号を付している。図１に示すように、本実施例に係るスピナーベイト型疑似餌(以下、「スピナーベイト」という）は、略Ｖ字状に屈曲成形されたステンレス製のワイヤー１１と、このワイヤー１１の一方の端部に取り付けられたブレード１２及び他方の端部に取り付けられたヘッド１３から構成されている。屈曲部分からブレード１２までのワイヤー部分をアッパーアーム２１、屈曲部分からヘッド１３までのワイヤー部分をロアアーム２２という。
【００１０】
ブレード１２は木の葉形状の金属板或いはプラスチック板からなり、スイベル２４を有する連結具２５でアッパーアーム２１の先端に取り付けられている。これにより、ブレード１２は様々な方向に自由に揺動したり回転したりできる。
ヘッド１３はフック１３ａ及び錘１３ｂからなる成型品で、ロアアーム２２の先端に固定されている。ヘッド１３には前記フック１３ａを取り囲むようにスカート１５が取り外し可能に取り付けられている。スカート１５は例えばシリコン樹脂製の多数の紐状体から構成されている。
【００１１】
ワイヤー１１の屈曲部分にはラインアイ１４が形成されている。このラインアイ１４はワイヤー１１の屈曲部分を深く折り曲げて略Ｃ字状にしたもので、ライン(釣り糸)Ｌが結びつけられるようになっている。また、アッパーアーム２１のうちラインアイ１４に隣接する部分には、ラインアイ１４と反対方向にワイヤー１１を屈曲させることにより略Ｃ字状の折返し部２７が形成されている。このようにラインアイ１４と折返し部２７とが並んで形成されていることによりワイヤー１１の屈曲部分は略Ｓ字状となる。
【００１２】
また、アッパーアーム２１及びロアアーム２２は、ワイヤー１１のＶ字形状を膨らます方向にそれぞれ湾曲している。このような構成により、ワイヤー１１全体のバネ特性が向上する。また、図２に示すように、アッパーアーム２１及びロアアーム２２の見かけ上の長さ（図２に一点鎖線Ａで示す）よりも実際の長さが大きくなるため、ワイヤー１１全体が受ける破損に対する負荷の許容量が増大する。
【００１３】
上記構成のスピナーベイトが水中に投入されると、錘１３ｂの重量によってブレード１２が上方にヘッド１３が下方に配置される。このとき、ワイヤー１１のＶ字形状が膨らむ方向にロアアーム２２が湾曲しているため、ヘッド１３は魚のように略水平姿勢で遊泳する。また、水流によってブレード１２が揺動、回転し、振動が発生する。
ブレード１２で発生した振動は、湾曲するアッパーアーム２１の全体に分散して伝わった後、折返し部２７、ラインアイ１４、ロアアーム２２を経てヘッド１３に伝わる。このため、応力がラインアイ１４に集中することがなく、金属疲労によるラインアイ１４の破損を軽減することができる。
【００１４】
また、アッパーアーム２１及びロアアーム２２を湾曲させると共にバネ性を有する折返し部２７を設けたことによりワイヤー１１全体のバネ特性が向上する。従って、ブレード１２で発生した振動が増幅してヘッド１３に伝わる。このため、従来のスピナーベイトに比べて対象魚に対するアピール力の高い複雑な動きを得ることができ、集魚効果が向上する。
【００１５】
尚、本発明は上記した実施例に限定されるものではなく、例えば次のような変形が可能である。
本発明は、ワイヤーベイト型疑似餌全般に適用できる。
アッパーアームを湾曲させるだけでもワイヤー全体のバネ特性が向上し、且つラインアイに応力が集中することを防止できるため、ワイヤーには折返し部を設けなくても構わない(図３参照）。
アッパーアームやロアアームを湾曲させる方向は、ワイヤーのＶ字形状を膨らませる方向に限らず、狭める方向でも良い。また、アッパーアーム及びロアアームの一方を、ワイヤーのＶ字形状を膨らませる方向に湾曲させ、他方を狭める方向に湾曲させても良い。アッパーアームやロアアームの曲率半径は、ワイヤーの素材や対象魚の種類等に応じて適宜設定することができる
【図面の簡単な説明】
【００１６】
【図１】本発明の第１の実施例を示すスピナーベイトの正面図。
【図２】ワイヤーの正面図。
【図３】本発明の変形例を示すワイヤーの正面図。
【図４】ワイヤーベイトの一つであるスピナーベイトの従来構成を示す正面図。
【図５】バズベイトの従来構成を示す正面図。
【図６】ジグスピナーの従来構成を示す正面図。
【図７】従来のスピナーベイトの動きを説明するための図。
【符号の説明】
【００１７】
１１・・・ワイヤー
１２・・・ブレード
１３・・・ヘッド
１４・・・ラインアイ
２１・・・ロアアーム
２２・・・アッパーアーム
２５・・・連結具
２７・・・折返し部
【図１】
2009100685.tif 000003
【図２】
2009100685.tif 000004
【図３】
2009100685.tif 000005
【図４】
2009100685.tif 000006
【図５】
2009100685.tif 000007
【図６】
2009100685.tif 000008
【図７】
2009100685.tif 000009